(57)【特許請求の範囲】
【請求項１】
各種情報を表示する表示部を備えた携帯電話機において、
前記表示部に表示された表示データを取得する表示データ取得手段と、
前記表示データ取得手段によって取得された表示データをシリアルデータに変換するシリアル変換手段と、
前記シリアル変換手段によって変換されたシリアルデータを外部に出力する出力手段と、
前記表示部に表示すべき基準データを記憶する基準データ記憶手段と、
前記取得された表示データと基準データとを比較する比較手段とを有し、
前記比較手段により前記表示データが基準データと一致しない場合、前記シリアル変換手段は、取得された表示データをシリアルデータに変換し、前記出力手段は、前記シリアル変換手段によって変換されたシリアルデータを外部に出力することを特徴とする携帯電話機。
【請求項２】
前記表示部に表示された表示データを取得する範囲を設定する取得範囲設定手段を有することを特徴とする請求項１に記載の携帯電話機。
【請求項３】
前記表示部に表示された表示データを取得するタイミングを指定する取得タイミング指定手段を有することを特徴とする請求項１又は２に記載の携帯電話機。
【請求項４】
前記表示部に表示された表示データを取得する時間間隔を指定する取得時間間隔指定手段を有することを特徴とする請求項１乃至３のいずれか１つの項に記載の携帯電話機。
【請求項５】
各種情報を表示する表示部を備えた携帯電話機の検査方法において、
前記表示部に表示された表示データを取得するステップと、
前記取得された表示データをシリアルデータに変換するステップと、
前記変換されたシリアルデータを外部に出力するステップと、
前記表示部に表示すべき基準データを記憶するステップと、
前記取得された表示データと基準データとを比較するステップと、
前記表示データが基準データと一致しない場合、前記表示データをシリアルデータに変換し、外部に出力するステップと、
を有することを特徴とする携帯電話機の検査方法。
【請求項６】
前記表示部に表示された表示データを取得する範囲を設定するステップを有することを特徴とする請求項５に記載の携帯電話機の検査方法。
【請求項７】
前記表示部に表示された表示データを取得するタイミングを指定するステップを有することを特徴とする請求項５又は６に記載の携帯電話機の検査方法。
【請求項８】
前記表示部に表示された表示データを取得する時間間隔を指定するステップを有することを特徴とする請求項５乃至７のいずれか１つの項に記載の携帯電話機の検査方法。
【発明の詳細な説明】
【０００１】
【発明の属する技術分野】
本発明は、携帯電話機及び携帯電話機の検査方法に関し、特に、表示部に表示されたデータをシリアル出力し、製品開発、機能評価、問題点発生時の調査等に利用することができる携帯電話機及び携帯電話機の検査方法に関する。
【０００２】
【従来の技術】
従来、携帯電話機の製品開発、機能評価、問題発生時の調査等において、制御部によって表示部に表示されたデータが正常であるか否かの検査は、リアルタイムで表示部を確認しながら行っていた。
【０００３】
また、特開平１０−３４１１９７号公報には、複数の携帯電話機と複数の基地局とからなる通信システムに用いられる携帯電話機において、ＣＰＵ等からなる制御部と、制御部の制御の下で制御データ等を記憶するメモリと、外部の保守ツールとの通信を行うシリアルインターフェース部と、基地局の無線区間の送受信を行う送受信部と、ユーザーとの入出力を司るユーザーインターフェース部と、ユーザーに対して表示する表示部とを備え、ケーブルで保守ツールを接続して、保守ツールの指示により複数の特定モードを切り換えることを特徴とする携帯電話機が開示されている。上記特定モードは保守モードや、テストモード、ＣＳＩＤ表示モードである。この従来の携帯電話機によれば、特定の基地局に対して位置登録動作や、同期確立を行う機能を端末に持たせることにより、ＰＨＳ端末の動作試験や、ＰＨＳ基地局の開発、試験、保守を向上させることができる、としている。
【０００４】
【発明が解決しようとする課題】
従来においては、表示部に表示されたデータが正常であるか否かの検査は、リアルタイムで表示部を確認しながら行っていたので、見落としなどの検査ミスが生じる可能性があった。
【０００５】
また、特開平１０−３４１１９７号公報に開示された携帯電話機は、ケーブルで保守ツールと接続して、保守ツールの指示により検査を行っており、携帯電話機側の操作で検査を実行するものではない。また、上記公報には、携帯電話機の表示部が表示されたデータを取得し、シリアル出力する点について何ら開示されていない。
【０００６】
本発明は、上記課題を解決するためになされたものであり、表示部に表示されたデータをシリアル出力し、確実な検査を行うことができる携帯電話機及び携帯電話機の検査方法を提供することを目的とする。
【０００７】
【課題を解決するための手段】
本発明の携帯電話機は、各種情報を表示する表示部を備えた携帯電話機において、前記表示部に表示された表示データを取得する表示データ取得手段と、前記表示データ取得手段によって取得された表示データをシリアルデータに変換するシリアル変換手段と、前記シリアル変換手段によって変換されたシリアルデータを外部に出力する出力手段と、前記表示部に表示すべき基準データを記憶する基準データ記憶手段と、前記取得された表示データと基準データとを比較する比較手段とを有し、前記比較手段により前記表示データが基準データと一致しない場合、前記シリアル変換手段は、取得された表示データをシリアルデータに変換し、前記出力手段は、前記シリアル変換手段によって変換されたシリアルデータを外部に出力することを特徴とするものである。
【０００８】
前記表示部に表示された表示データを取得する範囲を設定する取得範囲設定手段を有してもよい。
【０００９】
前記表示部に表示された表示データを取得するタイミングを指定する取得タイミング指定手段を有してもよい。
【００１０】
前記表示部に表示された表示データを取得する時間間隔を指定する取得時間間隔指定手段を有してもよい。
【００１２】
本発明の携帯電話機の検査方法は、各種情報を表示する表示部を備えた携帯電話機の検査方法において、
前記表示部に表示された表示データを取得するステップと、
前記取得された表示データをシリアルデータに変換するステップと、
前記変換されたシリアルデータを外部に出力するステップと、
前記表示部に表示すべき基準データを記憶するステップと、
前記取得された表示データと基準データとを比較するステップと、
前記表示データが基準データと一致しない場合、前記表示データをシリアルデータに変換し、外部に出力するステップと、
を有することを特徴とするものである。
【００１３】
前記表示部に表示された表示データを取得する範囲を設定するステップを有してもよい。
【００１４】
前記表示部に表示された表示データを取得するタイミングを指定するステップを有してもよい。
【００１５】
前記表示部に表示された表示データを取得する時間間隔を指定するステップを有してもよい。
【００１７】
本発明によれば、表示部に表示されたデータを取得し、取得したデータをシリアルデータに変換し、シリアル出力することができるので、表示部に表示されたデータが正常であるか否かを、出力したシリアルデータによって外部接続端末等で確認することができる。
【００１８】
【発明の実施の形態】
以下、本発明の実施の形態について図面を参照して説明する。図１（Ａ）は本発明の第１の実施形態例に係る携帯電話機の構成を示すブロック図、（Ｂ）は制御部の構成を示すブロック部である。
【００１９】
図１（Ａ）に示すように、本発明の第１の実施形態例に係る携帯電話機は、アンテナ１、無線部２、メモリ３、外部Ｉ／Ｆ（インターフェース）４、制御部５、キー入力部６、表示部８、音声コーデック９、スピーカ１０及びマイク１１から構成されている。
【００２０】
アンテナ１は携帯電話機の電波を送受信し、無線部２はその電波を変調、復調する。メモリ３は、登録した名前とそれに対応する電話番号等を記憶する。表示部８は電話番号などの情報を表示したり、音声通話中の場合は音声通話中であることの表示などを行う。外部Ｉ／Ｆ４は外部接続端末へデータを出力（伝達）する際の接続部分となる。
【００２１】
制御部５は表示部８に表示されたデータを取得し、取得したデータをシリアルデータ（信号）に変換し、外部Ｉ／Ｆ４を介してシリアル出力する機能などがある。また、音声発信中は音声発信中であること、音声通話中は音声通話中であることの状態情報を、外部Ｉ／Ｆ４を介してシリアル出力する。キー入力部６は、通常の携帯電話機が標準装備しているキー（例えば操作キー、テンキー）の他に、特殊キー７を有し、ユーザーが特殊キー７を押下することによって、制御部５は表示データをシリアル出力する機能を開始／停止する。音声コーデック９は制御部５から得たデジタル音声信号をＤ／Ａ変換してスピーカ１０に伝え、マイク１１からのアナログ音声信号をＡ／Ｄ変換して制御部５に伝える。
【００２２】
図１（Ｂ）に示すように、制御部５は、表示部８に表示された表示データを取得する表示データ取得部１２と、表示データ取得部１２によって取得された表示データをシリアルデータに変換するシリアル変換部１３と、表示部８に表示された表示データを取得する範囲を設定する取得範囲設定部１４と、表示部８に表示された表示データを取得するタイミングを指定する取得タイミング指定部１５と、表示部８に表示された表示データを取得する時間間隔を指定する取得時間間隔指定部１６とを有する。
【００２３】
図２は本発明の第１の実施形態例に係る携帯電話機により表示データを取得し、シリアル出力する時の動作を説明するためのフローチャートである。
【００２４】
まず、ユーザがキー入力部６の特殊キー７を押下した場合（ステップＳ１）、表示データを取得し、シリアル出力する機能を開始する。
【００２５】
次いで、表示部８に表示されたデータのうち実際にシリアル出力するために取得する範囲を設定するか否かを選択する（ステップＳ２）。表示データを取得する範囲を設定する場合、取得開始／終了位置を入力する（ステップＳ３）。設定しない場合、表示データを取得する範囲は表示部８の全範囲となる（ステップＳ４）。
【００２６】
次いで、制御部５の取得タイミング指定部１５は表示データを取得するタイミングを選択する（ステップＳ５）。ここでは、ユーザが指定したシリアルを検出したタイミングで表示データを取得する「指定」と、任意の時間が経過するタイミング毎に表示データを取得する「連続」とがある。ユーザが「指定」を選択した場合、制御部５が表示データを取得するタイミングのトリガとなるシリアル信号をユーザが入力する（ステップＳ６）。表示データの取得を開始した場合（ステップＳ７）、ユーザーが特殊キー７を押下し（ステップＳ８）、表示データ取得を終了する（ステップＳ９）まで、表示データを取得するトリガとなるシリアル出力を待つ（ステップＳ１０）。指定したシリアルを検出した場合、制御部５が表示部８の表示データを取得後（ステップＳ１１）、シリアル変換部１５によってシリアル変換し、外部Ｉ／Ｆ４を介して表示データをシリアル出力する（ステップＳ１２）。
【００２７】
ステップＳ５で「連続」を選択した場合、ユーザーが表示データを取得する時間間隔を指定するか否かを選択する（ステップＳ１３）。ステップＳ１３で「時間間隔を指定する」を選択した場合、ユーザが取得時間間隔を入力し（ステップＳ１４）、その変数ｔ１をメモリ３に記憶させる（ステップＳ１５）。ステップＳ１３で「時間間隔を指定しない」を選択した場合、取得時間間隔を例えば１０秒とし、変数ｔ１を１０秒としてメモリ３に記憶させる（ステップＳ１６）。
【００２８】
次いで、表示データの取得を開始した場合（ステップＳ１７）、変数ｔ０の初期化後、タイマを起動させてカウントアップを開始する（ステップＳ１８）。変数ｔ０が変数ｔ１以上であることを検出した場合（ステップ１９）、制御部５が表示部８の表示データを取得後（ステップＳ２０）、シリアル変換し、外部Ｉ／Ｆ４を介して表示データをシリアル出力し（ステップＳ２１）、変数ｔ０の初期化を行い、カウントアップを再開する（ステップＳ２２）。
【００２９】
ユーザーが特殊キー７を押下すると（ステップＳ２３）、表示データ取得を終了する（ステップＳ９）
図３は、取得した表示データをシリアル変換する例を示す説明図、図４は表示データを外部接続端末にシリアル出力している例を示す説明図である。
【００３０】
図３の例では、表示部８が１０００×１０００ドット、６５５３５色を表示する携帯電話機を使用しているものとする。また、表示データを取得する範囲は表示部８の全ての範囲とし、ユーザが音声発信を行い、音声通話状態に移行し、音声通話を終了するときに制御部５が出力する４つシリアル（「発信音」、「通話中表示ＯＮ」、「通話中表示ＯＦＦ」、「移動機待受」）を検出したタイミングをトリガとして、表示部８の表示データの取得を行っている。
【００３１】
制御部５が表示データを取得し、シリアル変換したデータ（図３（Ａ）参照）は、ヘッダ、表示データ取得開始位置、取得終了位置、表示データの各ドット位置における表示色から成り立っている（図３（Ｂ）参照）。また、外部Ｉ／Ｆ４を介して、パーソナルコンピュータ等の外部接続端末１７に接続し（図４参照）、外部接続端末１７で図３（Ｃ）に示すようなデータ形式に変換（例えば数字から日本語に変換）すれば表示データをより解読しやすくなる。
【００３２】
本発明の第１の実施形態例に係る携帯電話機によれば、表示部８に表示されたデータを取得し、取得した表示データをシリアルデータに変換し、外部Ｉ／Ｆ４を介してシリアル出力することができるので、表示部８に表示されたデータが正常であるか否かを、出力したシリアルデータによって外部接続端末１７等によって確認することにより、携帯電話機の開発、評価、問題点発生の際の調査等に有効利用できる。
【００３３】
図５は本発明の第２の実施形態例に係る携帯電話機の構成を示すブロック図である。図５に示すように、第２の実施形態例では、メモリ３には表示部８に表示すべき基準データを記憶する基準データ記憶部１８を有し、制御部５には、取得された表示データと基準データとを比較する比較部１９を有する。その他の構成については第１の実施形態例と同様であるので説明を省略する。
【００３４】
図６は本発明の第２の実施形態例に係る携帯電話機の動作を説明するためのフローチャートである。なお、図６において、図２のフローチャートと同一のステップについては、同一の符号を付して説明を省略する。
【００３５】
制御部５が表示部８の表示データを取得後（ステップＳ１１）、基準データ記憶部１８に記憶された基準データと一致するか比較する（ステップＳ２３）。取得された表示データと基準データとが一致しない場合（ステップＳ２４）、シリアル変換し、外部Ｉ／Ｆ４を介して表示データをシリアル出力する（ステップＳ１２）。
【００３６】
取得された表示データと基準データとが一致した場合（ステップＳ２５）及び表示データをシリアル出力した場合（ステップＳ１２）、ユーザーが特殊キー７を押下し（ステップＳ８）、表示データ取得を終了する（ステップＳ９）まで、表示データを取得するトリガとなるシリアル出力を待つ（ステップＳ１０）。
【００３７】
第２の実施形態例によれば、取得された表示データと基準データとが一致しなかった場合だけ、表示データをシリアル出力するので、出力データ量を減少させることができる。
【００３８】
本発明は、上記実施の形態に限定されることはなく、特許請求の範囲に記載された技術的事項の範囲内において、種々の変更が可能である。
【００３９】
【発明の効果】
本発明によれば、表示部に表示されたデータを取得し、取得したデータをシリアルデータに変換し、シリアル出力することができるので、表示部に表示されたデータが正常であるか否かを、出力したシリアルデータによって外部接続端末等で確認することにより、携帯電話機の開発、評価、問題点発生の際の調査等に有効利用できる。
【００４０】
また、取得された表示データと基準データとが一致しなかった場合だけ、表示データをシリアル出力する場合には、出力データ量を減少させることができる。
【図面の簡単な説明】
【図１】（Ａ）は本発明の第１の実施形態例に係る携帯電話機の構成を示すブロック図、（Ｂ）は制御部の構成を示すブロック部である。
【図２】本発明の第１の実施形態例に係る携帯電話機の動作を説明するためのフローチャートである。
【図３】（Ａ）乃至（Ｃ）は取得した表示データをシリアル変換する例を示す説明図である。
【図４】表示データを外部接続端末にシリアル出力している例を示す説明図である。
【図５】本発明の第２の実施形態例に係る携帯電話機の構成を示すブロック図である。
【図６】本発明の第２の実施形態例に係る携帯電話機の動作を説明するためのフローチャートである。
【符号の説明】
１：アンテナ
２：無線部
３：メモリ
４：外部Ｉ／Ｆ（インターフェース）
５：制御部
６：キー入力部
７：特殊キー
８：表示部
９：音声コーデック
１０：スピーカ
１１：マイク
１２：表示データ取得部
１３：シリアル変換部
１４：取得範囲設定部
１５：取得タイミング指定部
１６：取得時間間隔指定部
１７：外部接続端末
１８：基準データ記憶部
１９：比較部
【図１】
0003721135.tif 000002
【図２】
0003721135.tif 000003
【図３】
0003721135.tif 000004
【図４】
0003721135.tif 000005
【図５】
0003721135.tif 000006
【図６】
0003721135.tif 000007